(57)【要約】少なくとも１つの凹状円弧部分のうちインペラの半径方向において最も外側の凹状円弧部分のインペラの半径方向外側の端縁の接線方向と、回転軸線と垂直な方向とのなす傾斜角度は、スクロール流路の周方向に沿って分布を有し、スクロール部の舌部からスクロール流路の出口に向かうスクロール流路内の周方向位置を舌部を基準として回転軸線を中心とする中心角で表すと、傾斜角度の分布は、３０°から２１０°までの中心角の範囲内に極小値又は最小値を有する。
2019087385.tif 000002
【特許請求の範囲】
【請求項１】
インペラ及びハウジングを備える遠心圧縮機であって、
前記ハウジングは、
前記インペラの外周側に渦巻き状のスクロール流路が形成されたスクロール部と、
前記インペラの回転軸線の延びる方向に間隔をあけて設けられた一対の流路壁を含み、前記インペラの半径方向内側で前記スクロール流路の周方向に沿って前記スクロール流路と連通するディフューザ流路を前記一対の流路壁間に形成するディフューザ部と
を含み、
前記一対の流路壁は、
第１流路壁と、
前記回転軸線の延びる方向において前記第１流路壁に対して前記スクロール流路のスクロール中心側に位置する第２流路壁と
を有し、
前記第２流路壁は、前記スクロール流路の内壁面のうち前記半径方向内側に位置する内壁面の一部を含み、前記第２流路壁が含む前記内壁面は、前記回転軸線を含む平面による前記ハウジングの断面において、前記スクロール流路内に曲率半径を有する少なくとも１つの凹状円弧部分を構成し、
前記少なくとも１つの凹状円弧部分のうち前記インペラの半径方向において最も外側の凹状円弧部分の前記インペラの半径方向外側の端縁の接線方向と、前記回転軸線と垂直な方向とのなす傾斜角度は、前記スクロール流路の周方向に沿って分布を有し、
前記スクロール部の舌部から前記スクロール流路の出口に向かう前記スクロール流路内の周方向位置を前記舌部を基準として前記回転軸線を中心とする中心角で表すと、前記傾斜角度の前記分布は、３０°から２１０°までの前記中心角の範囲内に極小値又は最小値を有する遠心圧縮機。
【請求項２】
前記傾斜角度の前記分布は、３０°から１２０°までの前記中心角の範囲内に極小値又は最小値を有する、請求項１に記載の遠心圧縮機。
【請求項３】
前記第２流路壁は、
前記ディフューザ流路を画定するとともに前記回転軸線と垂直かつ平坦な平坦内壁面と、
前記スクロール流路を画定するとともに前記スクロール流路に対して凸状に湾曲した凸状内壁面と、
前記スクロール流路を画定するとともに前記回転軸線を含む平面による前記ハウジングの断面において前記少なくとも１つの凹状円弧部分を構成する少なくとも１つの凹状内壁面であって、該少なくとも１つの凹状内壁面のうち前記インペラの半径方向において最も外側の凹状内壁面が前記凸状円弧部分に接続される少なくとも１つの凹状内壁面と、
前記インペラの半径方向において前記平坦内壁面の最も外側で前記平坦内壁面と前記凸状内壁面とを接続する端面と
を含む、請求項１または２に記載の遠心圧縮機。
【請求項４】
前記回転軸線を中心とする前記ディフューザ流路の外径は前記ディフューザ流路の周方向に分布を有し、前記ディフューザ流路の外径の前記分布は、３０°から２１０°までの前記中心角の範囲内に極大値又は最大値を有する、請求項１〜３のいずれか一項に記載の遠心圧縮機。
【請求項５】
前記回転軸線から前記スクロール流路のスクロール中心までの距離は前記スクロール流路の周方向に分布を有し、前記距離の前記分布は、３０°から２１０°までの前記中心角の範囲内に極小値又は最小値を有する、請求項１〜４のいずれか一項に記載の遠心圧縮機。
【請求項６】
請求項１〜５のいずれか一項に記載の遠心圧縮機を備えたターボチャージャ。
【発明の詳細な説明】
【技術分野】
【０００１】
本開示は、遠心圧縮機及びこの遠心圧縮機を備えたターボチャージャに関する。
【背景技術】
【０００２】
近年、遠心圧縮機の作動領域の拡大が求められている。例えば、自動車エンジンでは、低速度領域における燃費改善・加速度性能向上が求められており、これに伴い、ターボチャージャにも低速・小流量作動点の効率向上が求められている。このような作動領域は、ターボチャージャの遠心圧縮機が失速状態で作動する領域であり、この領域では、スクロール流路内における大規模な剥離の発生が確認される。特許文献１には、スクロール流路において巻き終わりから巻き始めへの再循環流を要因とする剥離の発生が記載されている。
【先行技術文献】
【特許文献】
【０００３】
【特許文献１】国際公開第２０１７／１０９９４９号
【発明の概要】
【発明が解決しようとする課題】
【０００４】
しかしながら、本発明者らの鋭意検討の結果、特許文献１に記載された再循環流とは別の要因による剥離の発生が明らかになった。すなわち、スクロール流路が形成されたスクロール部の舌部付近でディフューザ流路から排出される圧縮空気は、スクロール流路の内壁面に沿って旋回しながらスクロール流路を流通し、このような旋回流れがスクロール流路の内壁面に沿ってちょうど一周したあたりで、ディフューザ流路から排出される圧縮空気と干渉する。これがスクロール流路内の剥離の要因の１つとなる。【０００５】
上述の事情に鑑みて、本開示の少なくとも１つの実施形態は、小流量作動点における効率を向上した遠心圧縮機及びこの遠心圧縮機を備えたターボチャージャを提供することを目的とする。
【課題を解決するための手段】
【０００６】
（１）本開示の少なくとも１つの実施形態に係る遠心圧縮機は、
インペラ及びハウジングを備える遠心圧縮機であって、
前記ハウジングは、
前記インペラの外周側に渦巻き状のスクロール流路が形成されたスクロール部と、
前記インペラの回転軸線の延びる方向に間隔をあけて設けられた一対の流路壁を含み、前記インペラの半径方向内側で前記スクロール流路の周方向に沿って前記スクロール流路と連通するディフューザ流路を前記一対の流路壁間に形成するディフューザ部と
を含み、
前記一対の流路壁は、
第１流路壁と、
前記回転軸線の延びる方向において前記第１流路壁に対して前記スクロール流路のスクロール中心側に位置する第２流路壁と
を有し、
前記第２流路壁は、前記スクロール流路の内壁面のうち前記半径方向内側に位置する内壁面の一部を含み、前記第２流路壁が含む前記内壁面は、前記回転軸線を含む平面による前記ハウジングの断面において、前記スクロール流路内に曲率半径を有する少なくとも１つの凹状円弧部分を構成し、
前記少なくとも１つの凹状円弧部分のうち前記インペラの半径方向において最も外側の凹状円弧部分の前記インペラの半径方向外側の端縁の接線方向と、前記回転軸線と垂直な方向とのなす傾斜角度は、前記スクロール流路の周方向に沿って分布を有し、
前記スクロール部の舌部から前記スクロール流路の出口に向かう前記スクロール流路内の周方向位置を前記舌部を基準として前記回転軸線を中心とする中心角で表すと、前記傾斜角度の前記分布は、３０°から２１０°までの前記中心角の範囲内に極小値又は最小値を有する。【０００７】
上記（１）の構成によると、スクロール流路内をスクロール流路の内壁面に沿って旋回しながら流通する旋回流れがスクロール流路の内壁面に沿ってちょうど一周したあたりで、旋回流れの方向と、ディフューザ流路から排出される圧縮流体の流れ方向とのなす角度が小さくなるので、旋回流れとディフューザ流路から排出される圧縮流体の流れとの干渉が抑制されて、スクロール流路内における剥離の発生が低減される。その結果、小流量作動点における遠心圧縮機の効率を向上することができる。【０００８】
（２）いくつかの実施形態では、上記（１）の構成において、
前記傾斜角度の前記分布は、３０°から１２０°までの前記中心角の範囲内に極小値又は最小値を有する。【０００９】
スクロール流路の流路面積は、出口側から舌部に向かって小さくなる。このようなスクロール流路の形状のために、舌部に近いほど凹状円弧部分の傾斜角度が大きくなる傾向がある。上記（２）の構成によると、この傾斜角度の大きさを意識せずにスクロール流路を形成するとこの傾斜角度が大きくなる傾向のある３０°から１２０°までの中心角の範囲でこの傾斜角度が極小値又は最小値を有するようにスクロール流路を形成することで、３０°から２１０°までの中心角の範囲でこの傾斜角度を小さくすることができるので、旋回流れとディフューザ流路から排出される圧縮流体の流れとの干渉がより抑制されて、スクロール流路内における剥離の発生がより低減される。その結果、小流量作動点における遠心圧縮機の効率を向上することができる。【００１０】
（３）いくつかの実施形態では、上記（１）または（２）の構成において、
前記第２流路壁は、
前記ディフューザ流路を画定するとともに前記回転軸線と垂直かつ平坦な平坦内壁面と、
前記スクロール流路を画定するとともに前記スクロール流路に対して凸状に湾曲した凸状内壁面と、
前記スクロール流路を画定するとともに前記回転軸線を含む平面による前記ハウジングの断面において前記少なくとも１つの凹状円弧部分を構成する少なくとも１つの凹状内壁面であって、該少なくとも１つの凹状内壁面のうち前記インペラの半径方向において最も外側の凹状内壁面が前記凸状円弧部分に接続される少なくとも１つの凹状内壁面と、
前記インペラの半径方向において前記平坦内壁面の最も外側で前記平坦内壁面と前記凸状内壁面とを接続する端面と
を含む。【００１１】
上記（３）の構成によると、旋回流れとディフューザ流路から排出される圧縮流体の流れとの干渉を抑制して、スクロール流路内における剥離の発生を低減できるとともに、ディフューザ流路を画定する内壁が回転軸線と垂直かつ平坦であることにより、ディフューザ流路の加工を容易にすることもできる。【００１２】
（４）いくつかの実施形態では、上記（１）〜（３）のいずれかの構成において、
前記回転軸線を中心とする前記ディフューザ流路の外径は前記ディフューザ流路の周方向に分布を有し、前記ディフューザ流路の外径の前記分布は、３０°から２１０°までの前記中心角の範囲内に極大値又は最大値を有する。【００１３】
上記（４）の構成によると、３０°から２１０°までの中心角の範囲で、凹状円弧部分の傾斜角度を極小又は最小にすることができるので、旋回流れとディフューザ流路から排出される圧縮流体の流れとの干渉が抑制されて、スクロール流路内における剥離の発生が低減される。その結果、小流量作動点における遠心圧縮機の効率を向上することができる。【００１４】
（５）いくつかの実施形態では、上記（１）〜（４）のいずれかの構成において、
前記回転軸線から前記スクロール流路のスクロール中心までの距離は前記スクロール流路の周方向に分布を有し、前記距離の前記分布は、３０°から２１０°までの前記中心角の範囲内に極小値又は最小値を有する。【００１５】
上記（５）の構成によると、３０°から２１０°までの中心角の範囲で、凹状円弧部分の傾斜角度を極小又は最小にすることができるので、旋回流れとディフューザ流路から排出される圧縮流体の流れとの干渉が抑制されて、スクロール流路内における剥離の発生が低減される。その結果、小流量作動点における遠心圧縮機の効率を向上することができる。【００１６】
（６）本開示の少なくとも１つの実施形態に係るターボチャージャは、
上記（１）〜（５）のいずれかの遠心圧縮機を備える。【００１７】
上記（６）の構成によると、スクロール流路内における剥離の発生が低減されるので、低速・小流量作動点におけるターボチャージャの効率を向上することができる。
【発明の効果】
【００１８】
本開示の少なくとも１つの実施形態によれば、スクロール流路内をスクロール流路の内壁面に沿って旋回しながら流通する旋回流れがスクロール流路の内壁面に沿ってちょうど一周したあたりで、旋回流れの方向と、ディフューザ流路から排出される圧縮流体の流れ方向とのなす角度が小さくなるので、旋回流れとディフューザ流路から排出される圧縮流体の流れとの干渉が抑制されて、スクロール流路内における剥離の発生が低減される。その結果、小流量作動点における遠心圧縮機の効率を向上することができる。
【図面の簡単な説明】
【００１９】
【図１】本開示の一実施形態に係る遠心圧縮機の回転軸線に垂直な断面の一例を模式的に示す図である。
【図２】本開示の一実施形態に係る遠心圧縮機の回転軸線を含む平面による遠心圧縮機のハウジングの部分断面図である。
【図３】本開示の一実施形態に係る遠心圧縮機においてディフューザ流路から排出された圧縮空気がスクロール流路の内壁面に沿って旋回する様子を示す流線図である。
【図４】スクロール流路内で旋回流とディフューザ流路から排出される圧縮空気の流れとが干渉する原理を説明するための模式図である。
【図５】本開示の一実施形態に係る遠心圧縮機のスクロール流路の断面形状を示す断面模式図である。
【図６】本開示の一実施形態に係る遠心圧縮機において、傾斜角度αの分布を表すグラフである。
【図７】本開示の一実施形態に係る遠心圧縮機において、ディフューザ流路の外径の分布及び傾斜角度αの分布を表すグラフである。
【図８】本開示の一実施形態に係る遠心圧縮機において、回転軸線とスクロール中心との間の距離の分布及び傾斜角度αの分布を表すグラフである。
【図９】本開示の一実施形態に係る遠心圧縮機の第２流路壁の拡大部分断面図である。
【発明を実施するための形態】
【００２０】
以下、添付図面を参照して本発明のいくつかの実施形態について説明する。ただし、本発明の範囲は以下の実施形態に限定されるものではない。以下の実施形態に記載されている構成部品の寸法、材質、形状、その相対配置などは、本発明の範囲をそれにのみ限定する趣旨ではなく、単なる説明例に過ぎない。
【００２１】
本開示の一実施形態に係る遠心圧縮機を、ターボチャージャの遠心圧縮機を例にして説明する。ただし、本開示における遠心圧縮機は、ターボチャージャの遠心圧縮機に限定するものではなく、単独で動作する任意の遠心圧縮機であってもよい。以下の説明において、この圧縮機によって圧縮される流体は空気であるが、任意の流体に置き換えることが可能である。
【００２２】
図１に示されるように、遠心圧縮機１は、ハウジング２と、ハウジング２内で回転軸線Ｌを中心に回転可能に設けられたインペラ３とを備えている。図２に示されるように、ハウジング２は、インペラ３の外周側に渦巻き状のスクロール流路５が形成されたスクロール部４と、回転軸線Ｌの延びる方向に間隔をあけて設けられた一対の流路壁７、すなわち第１流路壁７ａ及び第２流路壁７ｂを含むディフューザ部６と、円筒形状の空気入口部９とを有している。第２流路壁７ｂは、回転軸線Ｌの延びる方向において第１流路壁７ａに対してスクロール流路５のスクロール中心ＯＳ側に位置している。第１流路壁７ａ及び第２流路壁７ｂ間には、インペラ３の半径方向内側でスクロール流路５の周方向に沿ってスクロール流路５と連通するディフューザ流路８が形成されている。
【００２３】
空気入口部９を介して遠心圧縮機１内に流入した空気は、インペラ３によって圧縮されて圧縮空気となる。圧縮空気は、ディフューザ流路８を流通してスクロール流路５内に流入し、次いで、スクロール流路５を流通して遠心圧縮機１から排出される。
【００２４】
ターボチャージャが低速で作動するときのように、遠心圧縮機１に流入する空気量が小さい場合、遠心圧縮機１は失速状態で作動することになり効率が低下する。このような作動領域では、スクロール流路５内において大規模な剥離の発生が確認される。本発明者らは鋭意検討の結果、このような剥離が発生する要因の１つを見出した。その要因による剥離の発生原理を以下に説明する。
【００２５】
図１に示されるように、スクロール部４（図２参照）の舌部４ａからスクロール流路５の出口に向かうスクロール流路５内の周方向位置を、舌部４ａを基準として回転軸線Ｌを中心とする中心角θで表す。したがって、舌部４ａの周方向位置を表す中心角θは０°となる。
【００２６】
図３に示されるように、舌部４ａ付近でディフューザ流路８から排出された圧縮空気の流れｆ１は、スクロール流路５の内壁面に沿って旋回しながらスクロール流路５を流通する。このような圧縮空気の旋回流れｆ２がスクロール流路５の内壁面に沿ってちょうど一周したあたり（図３では中心角θ＝３０°付近）で、ディフューザ流路８から排出される圧縮空気ｆ３と干渉する。この干渉がスクロール流路５内の剥離の要因の１つとなる。
【００２７】
図４（ａ）に示されるように、回転軸線Ｌを含むハウジング２（図２参照）の断面において、スクロール流路５の内壁面５ａのうち第２流路壁７ｂと接続する部分５ａ１の接線方向Ａと、回転軸線Ｌと垂直な方向Ｂとのなす傾斜角度αが大きいほど、すなわち９０°に近いほど、図４（ｂ）に示されるように、スクロール流路５の内壁面５ａに沿って流通する圧縮空気の旋回流れｆ２と、ディフューザ流路８から排出される圧縮空気の流れｆ３とのなす角度βが大きくなる。そうすると、ディフューザ流路８からスクロール流路５内に流入しようとする圧縮空気の流れｆ３を旋回流れｆ２が塞ぐように干渉するので、この干渉が発生する部分で剥離が生じるようになる。
【００２８】
そこで、このような干渉の発生を抑制するためには、傾斜角度αが小さくなるようなスクロール流路５の断面形状が必要になる。傾斜角度αを小さくしたスクロール流路５の断面形状の例を図５に示す。第２流路壁７ｂは、ディフューザ流路８を画定するとともに回転軸線Ｌと垂直かつ平坦な平坦内壁面２１と、平坦内壁面２１の最も半径方向外側で平坦内壁面２１と垂直に接続される平坦な端面２２と、端面２２に接続されるとともにスクロール流路５に対して凸状に湾曲した凸状内壁面２３と、凸状内壁面２３に接続されるとともにスクロール流路５に対して凹状に湾曲した凹状内壁面２４とを有している。ここで、スクロール中心ＯＳを通り回転軸線Ｌに平行な仮想線Ｌ’を想定し、スクロール流路５の内壁面５ａを、仮想線Ｌ’に対して半径方向内側の部分５ａ２と半径方向外側の部分５ａ３とに区別する。端面２２と凸状内壁面２３と凹状内壁面２４とは、内壁面５ａの部分５ａ２の一部である。
【００２９】
尚、スクロール流路５に対して凸状に湾曲することは、回転軸線Ｌを含むハウジング２（図２参照）の断面において凸状内壁面２３が構成する凸状円弧部分２３ａの曲率中心がスクロール流路５の外部に位置することを意味し、スクロール流路５に対して凹状に湾曲することは、回転軸線Ｌを含むハウジング２の断面において凹状内壁面２４が構成する凹状円弧部分２４ａの曲率中心がスクロール流路５の内部に位置することを意味する。
【００３０】
回転軸線Ｌを含むハウジング２の断面において、凹状円弧部分２４ａの半径方向外側の端縁２４ａ１の接線方向Ａと、回転軸線Ｌと垂直な方向Ｂとのなす傾斜角度αが小さくなると、旋回流れｆ２と、ディフューザ流路８からスクロール流路５内に流入しようとする圧縮空気の流れｆ３とのなす角度βが小さくなる。そうすると、旋回流れｆ２と圧縮空気の流れｆ３との干渉が抑制されるので、剥離の発生が低減される。したがって、スクロール流路５の断面形状を、このような干渉が発生する部分において傾斜角度αが小さくなるような形状にすることによって、剥離の発生を低減することができる。
【００３１】
また、本発明者らは、ＣＦＤ解析を行うことによって、３０°から２１０°までの中心角θの範囲内で剥離が発生しやすいという結果を得た。これは、スクロール流路５内で安定した旋回流れが形成されると、スクロール流路５内の旋回流れと、ディフューザ流路８から排出される圧縮空気の流れとは徐々に干渉しなくなることから、このような干渉はスクロール流路５において上流側ほど発生しやすいためである。したがって、スクロール流路５の断面形状を、上流側において傾斜角度αが小さくなるような形状とすることにより、剥離の発生を有効に低減することができる。
【００３２】
図５に示されるスクロール流路５の断面形状は、ハウジング２（図２参照）の一断面における形状である。スクロール流路５の断面形状は、実際は周方向に従って変化する。したがって、周方向に従って傾斜角度αは変化する。すなわち、傾斜角度αは、スクロール流路５の周方向に沿って分布を有する。そこで、本発明者が得た上記知見から、図６に示されるように、中心角θが３０°から２１０°までの範囲となるスクロール流路５の周方向位置の範囲において、傾斜角度αの分布が最小値を有することにより、剥離の発生を有効に低減することができる。尚、傾斜角度αの分布が上記範囲内で最小値を有するのではなく、３０°から２１０°までの中心角θの範囲内での最小値、すなわち極小値を有するような分布であってもよい。言い換えると、２１０°以降の中心角θの範囲内で、傾斜角度αの分布は、極小値よりも小さい値を有してもよい。
【００３３】
次に、傾斜角度αの分布が、３０°から２１０°までの中心角θの範囲内で極小値又は最小値をとるようにするための、ハウジング２（図２参照）の構成のいくつかの実施形態を説明する。
【００３４】
一実施形態では、ディフューザ流路８（図１参照）の外径を周方向に局所的に大きくする。すなわち、ディフューザ流路８の外径の周方向の分布を、３０°から２１０°までの中心角θの範囲内で極大値又は最大値をとるようにする。図５を参照すると、ディフューザ流路８の外径が局所的に大きい部分では、第２流路壁７ｂの端面２２の位置が他の部分に比べて、より半径方向外側に位置するようになっている。そうすると、凹状内壁面２４の半径方向の幅を大きくすることができるので、部分５ａ１の接線方向Ａの傾きがより水平方向に近くなり、傾斜角度αが小さくなる。
【００３５】
図７に、ディフューザ流路８の外径の周方向の分布を表すグラフと、その場合の傾斜角度αの分布を表すグラフとを示す。３０°から２１０°までの中心角θの範囲内でディフューザ流路８の外径が最大になるような構成にすると、３０°から２１０°までの中心角θの範囲内で傾斜角度αが最小値をとるようになる。この範囲内で傾斜角度αが最小値ではなく極小値をとる場合には、３０°から２１０°までの中心角θの範囲内でディフューザ流路８の外径が極大になるような構成にすればよい。
【００３６】
また、他の実施形態では、回転軸線Ｌからスクロール流路５のスクロール中心ＯＳまでの距離Ｒ（図２参照）を周方向に局所的に小さくする。すなわち、距離Ｒの周方向の分布を、３０°から２１０°までの中心角θの範囲内で極小値又は最小値をとるようにする。図５を参照すると、距離Ｒが局所的に小さい部分では、他の部分に比べて、ディフューザ流路８の出口の位置が同じあるにも関わらずスクロール流路５の断面が半径方向内側に位置するようになっている。そうすると、部分５ａ１の接線方向Ａの傾きがより水平方向に近くなるので、傾斜角度αが小さくなる。
【００３７】
図８に、距離Ｒの周方向の分布を表すグラフと、その場合の傾斜角度αの分布を表すグラフとを示す。３０°から２１０°までの中心角θの範囲内で距離Ｒが最小になるような構成にすると、３０°から２１０°までの中心角θの範囲内で傾斜角度αが最小値をとるようになる。この範囲内で傾斜角度αが最小値ではなく極小値をとる場合には、３０°から２１０°までの中心角θの範囲内で距離Ｒが極小になるような構成にすればよい。
【００３８】
さらに、他の実施形態では、ディフューザ流路８（図１参照）の外径を周方向に局所的に大きくすることと、回転軸線Ｌからスクロール流路５のスクロール中心ＯＳまでの距離Ｒ（図２参照）を周方向に局所的に小さくすることとを組み合わせる。それぞれを単独で行うと、ディフューザ流路８の外径が局所的に大きくなりすぎたり、距離Ｒが局所的に小さくなりすぎたりすることにより、製造が難しくなったり、圧縮空気の流れに悪影響を与える可能性がある。しかし、両者を組み合わせることにより、ディフューザ流路８の外径及び距離Ｒの局所的な変化を緩やかにすることができる。
【００３９】
このように、スクロール流路５内をスクロール流路５の内壁面５ａに沿って旋回しながら流通する旋回流れｆ２がスクロール流路５の内壁面５ａに沿ってちょうど一周したあたりで、旋回流れｆ２の方向と、ディフューザ流路８から排出される圧縮流体の流れｆ３の方向とのなす角度βが小さくなるので、旋回流れｆ２とディフューザ流路から排出される圧縮流体の流れｆ３との干渉が抑制されて、スクロール流路５内における剥離の発生が低減される。その結果、小流量作動点における遠心圧縮機１の効率を向上することができる。
【００４０】
上記実施形態では、第２流路壁７ｂは、平坦内壁面２１と垂直に接続される平坦な端面２２と、端面２２に接続されるとともにスクロール流路５に対して凸状に湾曲した凸状内壁面２３と、凸状内壁面２３に接続されるとともにスクロール流路５に対して凹状に湾曲した凹状内壁面２４とを有しているが、この形態に限定するものではない。端面２２が平坦内壁面２１と垂直ではなかったり、平坦ではなく湾曲していたりしてもよい。また、凸状内壁面２３がなく、凹状内壁面２４と端面２２とが接続されていてもよい。
【００４１】
また、凹状内壁面２４が２つ以上あってもよい。図９に、凹状内壁面２４が、２つの凹状内壁面を含む場合を例示的に示す。回転軸線Ｌを含むハウジング２（図２参照）の断面において、２つの凹状内壁面がそれぞれ、第１凹状円弧部分２４１と第２凹状円弧部分２４２とを構成している。第２凹状円弧部分２４２は、半径方向内側の端縁２４２ａ及び半径方向外側の端縁２４２ｂを有し、端縁２４２ａは第１凹状円弧部分２４１に接続され、端縁２４２ｂは凸状円弧部分２３ａに接続されている。このような形態の場合、傾斜角度αは、最も半径方向外側に位置する凹状円弧部分、すなわち第２凹状円弧部分２４２の半径方向外側の端縁２４２ｂの接線方向Ａと、回転軸線Ｌと垂直な方向Ｂとのなす角度となる。
【００４２】
上記実施形態では、傾斜角度αの分布は、３０°から２１０°までの中心角θの範囲内に極小値又は最小値を有していたが、３０°から１２０°までの中心角θの範囲内に極小値又は最小値を有していてもよい（図６参照）。図１に示されるように、スクロール流路５の流路面積は、出口側から舌部４ａに向かって小さくなる。このようなスクロール流路５の形状のために、舌部４ａに近いほど凹状円弧部分２４ａ（図５参照）の傾斜角度α（図５参照）が大きくなる傾向がある。この傾斜角度αの大きさを意識せずにスクロール流路５を形成するとこの傾斜角度αが大きくなる傾向のある３０°から１２０°までの中心角の範囲でこの傾斜角度αが極小値又は最小値を有するようにスクロール流路５を形成することで、３０°から２１０°までの中心角の範囲でこの傾斜角度αを小さくすることができるので、旋回流れｆ２とディフューザ流路８から排出される圧縮流体の流れｆ３との干渉がより抑制されて、スクロール流路８内における剥離の発生がより低減される。その結果、小流量作動点における遠心圧縮機１の効率を向上することができる。
【００４３】
また、ディフューザ流路８は通常、切削加工により形成されるが、上記実施形態では、ディフューザ流路８を画定する平坦内壁面２１が回転軸線Ｌと垂直かつ平坦であることより、ディフューザ流路８を容易に加工することができるようになる。
【符号の説明】
【００４４】
１  遠心圧縮機
２  ハウジング
３  インペラ
４  スクロール部
４ａ  舌部
５  スクロール流路
５ａ  （スクロール流路の）内壁面
５ａ１  （内壁面の）部分
５ａ２  （内壁面の）半径方向内側の部分
５ａ３  （内壁面の）半径方向外側の部分
６  ディフューザ部
７  流路壁
７ａ  第１流路壁
７ｂ  第２流路壁
８  ディフューザ流路
９  空気入口部
２１  平坦内壁面
２２  端面
２３  凸状内壁面
２３ａ  凸状円弧部分
２４  凹状内壁面
２４ａ  凹状円弧部分
２４ａ１  （凹状円弧部分の）端縁
２４１  第１凹状円弧部分
２４２  第２凹状円弧部分
２４２ａ  （第２凹状円弧部分の）端縁
２４２ｂ  （第２凹状円弧部分の）端縁
Ａ  接線方向
Ｂ  回転軸線と垂直な方向
Ｌ  （インペラの）回転軸線
Ｌ’  仮想線
Ｏｓ  スクロール中心
α  傾斜角度
β  角度
θ  中心角
ｆ１  舌部付近でディフューザ流路から排出される圧縮空気の流れ
ｆ２  旋回流れ
ｆ３  ディフューザ流路から排出される圧縮空気の流れ
【図１】
2019087385.tif 000003
【図２】
2019087385.tif 000004
【図３】
2019087385.tif 000005
【図４】
2019087385.tif 000006
【図５】
2019087385.tif 000007
【図６】
2019087385.tif 000008
【図７】
2019087385.tif 000009
【図８】
2019087385.tif 000010
【図９】
2019087385.tif 000011
【手続補正書】
【提出日】平成30年5月16日(2018.5.16)
【手続補正１】
【補正対象書類名】特許請求の範囲
【補正対象項目名】全文
【補正方法】変更
【補正の内容】
【特許請求の範囲】
【請求項１】
インペラ及びハウジングを備える遠心圧縮機であって、
前記ハウジングは、
前記インペラの外周側に渦巻き状のスクロール流路が形成されたスクロール部と、
前記インペラの回転軸線の延びる方向に間隔をあけて設けられた一対の流路壁を含み、前記インペラの半径方向内側で前記スクロール流路の周方向に沿って前記スクロール流路と連通するディフューザ流路を前記一対の流路壁間に形成するディフューザ部と
を含み、
前記一対の流路壁は、
第１流路壁と、
前記回転軸線の延びる方向において前記第１流路壁に対して前記スクロール流路のスクロール中心側に位置する第２流路壁と
を有し、
前記第２流路壁は、前記スクロール流路の内壁面のうち前記半径方向内側に位置する内壁面の一部を含み、前記第２流路壁が含む前記内壁面は、前記回転軸線を含む平面による前記ハウジングの断面において、前記スクロール流路内に曲率中心を有する少なくとも１つの凹状円弧部分を構成し、
前記少なくとも１つの凹状円弧部分のうち前記インペラの半径方向において最も外側の凹状円弧部分の前記インペラの半径方向外側の端縁の接線方向と、前記回転軸線と垂直な方向とのなす傾斜角度は、前記スクロール流路の周方向に沿って分布を有し、
前記スクロール部の舌部から前記スクロール流路の出口に向かう前記スクロール流路内の周方向位置を前記舌部を基準として前記回転軸線を中心とする中心角で表すと、前記傾斜角度の前記分布は、３０°から１２０°までの前記中心角の範囲内に極小値又は最小値を有する遠心圧縮機。
【請求項２】
（削除）
【請求項３】
前記第２流路壁は、
前記ディフューザ流路を画定するとともに前記回転軸線と垂直かつ平坦な平坦内壁面と、
前記スクロール流路を画定するとともに前記スクロール流路に対して凸状に湾曲した凸状内壁面と、
前記スクロール流路を画定するとともに前記回転軸線を含む平面による前記ハウジングの断面において前記少なくとも１つの凹状円弧部分を構成する少なくとも１つの凹状内壁面であって、該少なくとも１つの凹状内壁面のうち前記インペラの半径方向において最も外側の凹状内壁面が前記凸状円弧部分に接続される少なくとも１つの凹状内壁面と、
前記インペラの半径方向において前記平坦内壁面の最も外側で前記平坦内壁面と前記凸状内壁面とを接続する端面と
を含む、請求項１に記載の遠心圧縮機。
【請求項４】
前記回転軸線を中心とする前記ディフューザ流路の外径は前記ディフューザ流路の周方向に分布を有し、前記ディフューザ流路の外径の前記分布は、３０°から２１０°までの前記中心角の範囲内に極大値又は最大値を有する、請求項１又は３に記載の遠心圧縮機。
【請求項５】
前記回転軸線から前記スクロール流路のスクロール中心までの距離は前記スクロール流路の周方向に分布を有し、前記距離の前記分布は、３０°から２１０°までの前記中心角の範囲内に極小値又は最小値を有する、請求項１、３及び４のいずれか一項に記載の遠心圧縮機。
【請求項６】
請求項１、３〜５のいずれか一項に記截の遠心圧縮機を備えたターボチャージャ。
【手続補正書】
【提出日】令和1年12月10日(2019.12.10)
【手続補正１】
【補正対象書類名】特許請求の範囲
【補正対象項目名】全文
【補正方法】変更
【補正の内容】
【特許請求の範囲】
【請求項１】
インペラ及びハウジングを備える遠心圧縮機であって、
前記ハウジングは、
前記インペラの外周側に渦巻き状のスクロール流路が形成されたスクロール部と、
前記インペラの回転軸線の延びる方向に間隔をあけて設けられた一対の流路壁を含み、前記インペラの半径方向内側で前記スクロール流路の周方向に沿って前記スクロール流路と連通するディフューザ流路を前記一対の流路壁間に形成するディフューザ部と
を含み、
前記一対の流路壁は、
第１流路壁と、
前記回転軸線の延びる方向において前記第１流路壁に対して前記スクロール流路のスクロール中心側に位置する第２流路壁と
を有し、
前記第２流路壁は、前記スクロール流路の内壁面のうち前記半径方向内側に位置する内壁面の一部を含み、前記第２流路壁が含む前記内壁面は、前記回転軸線を含む平面による前記ハウジングの断面において、前記スクロール流路内に曲率中心を有する少なくとも１つの凹状円弧部分を構成し、
前記少なくとも１つの凹状円弧部分のうち前記インペラの半径方向において最も外側の凹状円弧部分の前記インペラの半径方向外側の端縁の接線方向と、前記回転軸線と垂直な方向とのなす傾斜角度は、前記スクロール流路の周方向に沿って分布を有し、
前記スクロール部の舌部から前記スクロール流路の出口に向かう前記スクロール流路内の周方向位置を前記舌部を基準として前記回転軸線を中心とする中心角で表すと、前記傾斜角度の前記分布は、３０°から１２０°までの前記中心角の範囲内に極小値又は最小値を有する
遠心圧縮機。
【請求項２】
前記第２流路壁は、
前記ディフューザ流路を画定するとともに前記回転軸線と垂直かつ平坦な平坦内壁面と、
前記スクロール流路を画定するとともに前記スクロール流路に対して凸状に湾曲した凸状内壁面と、
前記スクロール流路を画定するとともに前記回転軸線を含む平面による前記ハウジングの断面において前記少なくとも１つの凹状円弧部分を構成する少なくとも１つの凹状内壁面であって、該少なくとも１つの凹状内壁面のうち前記インペラの半径方向において最も外側の凹状内壁面が前記凸状内壁面に接続される少なくとも１つの凹状内壁面と、
前記インペラの半径方向において前記平坦内壁面の最も外側で前記平坦内壁面と前記凸状内壁面とを接続する端面と
を含む、請求項１に記載の遠心圧縮機。
【請求項３】
前記回転軸線を中心とする前記ディフューザ流路の外径は前記ディフューザ流路の周方向に分布を有し、前記ディフューザ流路の外径の前記分布は、３０°から２１０°までの前記中心角の範囲内に極大値又は最大値を有する、請求項１又は２に記載の遠心圧縮機。
【請求項４】
前記回転軸線から前記スクロール流路のスクロール中心までの距離は前記スクロール流路の周方向に分布を有し、前記距離の前記分布は、３０°から２１０°までの前記中心角の範囲内に極小値又は最小値を有する、請求項１〜３のいずれか一項に記載の遠心圧縮機。
【請求項５】
請求項１〜４のいずれか一項に記載の遠心圧縮機を備えたターボチャージャ。
【国際調査報告】
2019087385.tif 000012
2019087385.tif 000013
2019087385.tif 000014
2019087385.tif 000015